(57)【要約】【課題】トナーを貯留する貯留部内に、トナーをトナー担持体表面に向けて供給するトナー供給部材を有する現像装置および画像形成装置において、トナーの劣化に起因する画像品質の低下を抑える。【解決手段】現像ユニット５０Ｙの内部を、帯電の良好なトナーを貯留する貯留室ＳＣと、帯電の不十分なトナーの帯電量を増加させる帯電室ＣＣとに二分する。供給ローラ５０２の回転によって生じるトナーの流れに分離部材５１０を設置し負電位を与える。十分な負の帯電量を有する高帯電トナーは供給ローラ５０２表面に沿って流動し現像ローラ５０１に供給される。帯電の不十分な低帯電トナーは帯電室ＣＣに送り込まれ、予備帯電ローラ５０３により帯電されてから貯留室ＳＣに送られる。高帯電トナーおよび外部からの補給トナーについては過剰なストレスによる劣化が防止される。【選択図】図４
2009145538.tif 000002
【特許請求の範囲】
【請求項１】
トナーを貯留する貯留部と、
前記貯留部内にその表面の一部が露出しており、帯電トナーを表面に担持するトナー担持体と、
前記貯留部内に設けられて、前記貯留部内のトナーを所定方向に流動させることによりトナーを前記トナー担持体表面に向けて供給するトナー供給部材と、
前記トナー供給部材によるトナー流動方向において前記トナー担持体よりも上流側かつ前記トナー供給部材の近傍位置に設けられ、流動トナーの流れを二手に分離させる分離部材と、
前記分離部部材により分離された流動トナーの一方を受け入れ、該トナーの帯電量を増加させて前記貯留部に送り込む帯電部と
を備え、
前記分離部材は、トナーの帯電量に応じて前記流動トナーを高帯電トナー流と低帯電トナー流とに分離し、該低帯電トナー流を前記帯電部に案内する
ことを特徴とする現像装置。
【請求項２】
前記分離部材は、導電性材料により形成されて前記トナーの帯電極性と同極性の電位が与えられている請求項１に記載の現像装置。
【請求項３】
前記分離部材は、帯電系列において前記トナーよりも前記トナーの帯電極性側に位置する材料により形成されている請求項１に記載の現像装置。
【請求項４】
前記トナー供給部材は、所定の回転軸中心に回転する略円筒形状のトナー供給ローラであり、該トナー供給ローラ周りにその回転方向に沿ったトナーの流れを形成し、
前記分離部材は、前記トナー供給ローラ周りのトナーの流れを前記トナー供給ローラ表面に近い流れとこれより遠い流れとに分離し、前記トナー供給ローラ表面から遠い方の流れを前記低帯電トナー流として前記帯電部に案内する請求項１に記載の現像装置。
【請求項５】
前記貯留部は、トナーを貯留する貯留室を形成する貯留室形成部材を備え、該貯留室の内壁面の一部と前記分離部材とに囲まれた空間が、前記低帯電トナーを前記帯電部へ案内するためのトナー流路を構成する請求項１ないし４のいずれかに記載の現像装置。
【請求項６】
前記帯電部は、トナーを攪拌する攪拌部材を備える請求項１ないし５のいずれかに記載の現像装置。
【請求項７】
前記帯電部は、トナーを一時的に貯留する帯電室を有するとともに、前記攪拌部材は該帯電室内に設けられており、しかも、前記攪拌部材の表面および前記帯電室の内壁面の少なくとも一方が、帯電系列において前記トナーよりも前記トナーの帯電極性と反対側に位置する材料により形成されている請求項６に記載の現像装置。
【請求項８】
前記貯留部は、外部からの補給トナーを受け入れるトナー補給口を有しており、前記補給トナーを、前記分離部材により分離されたトナー流のうち前記高帯電トナー流に合流させる請求項１ないし７のいずれかに記載の現像装置。
【請求項９】
前記トナーは非磁性一成分トナーである請求項１ないし８のいずれかに記載の現像装置。
【請求項１０】
静電潜像を担持する潜像担持体と、
トナーを貯留する貯留部と、
前記貯留部内にその表面の一部が露出しており、帯電トナーを表面に担持して前記潜像担持体との対向位置に搬送するトナー担持体と、
前記貯留部内に設けられて、前記貯留部内のトナーを所定方向に流動させることによりトナーを前記トナー担持体表面に向けて供給するトナー供給部材と、
前記トナー供給部材によるトナー流動方向において前記トナー担持体よりも上流側かつ前記トナー供給部材の近傍位置に設けられ、流動トナーの流れを二手に分離させる分離部材と、
前記分離部部材により分離された流動トナーの一方を受け入れ、該トナーの帯電量を増加させて前記貯留部に送り込む帯電部と
を備え、
前記分離部材は、トナーの帯電量に応じて前記流動トナーを高帯電トナー流と低帯電トナー流とに分離し、該低帯電トナー流を前記帯電部に案内する
ことを特徴とする画像形成装置。
【発明の詳細な説明】
【技術分野】
【０００１】
この発明は、トナーを貯留する貯留部内に、トナーをトナー担持体表面に向けて供給するトナー供給部材を有する現像装置および画像形成装置に関するものである。
【背景技術】
【０００２】
貯留部に貯留されたトナーを帯電させてトナー担持体に担持させ、該帯電トナーにより画像を形成する現像装置や画像形成装置においては、トナー担持体表面に効率よくトナーを送り込むために、貯留部内にトナー供給部材を設けたものがある。例えば、特許文献１に記載の現像装置は、トナーを担持しながら回転することにより感光体との対向位置にトナーを搬送する現像ローラと、該現像ローラに当接しながら回転して、トナー収容部に収容されたトナーを現像ローラに供給するトナー供給ローラとを備えている。このトナー供給ローラが上記したトナー供給部材として機能している。
【０００３】
【特許文献１】特開２００７−２４０５６３号公報（図４）
【発明の開示】
【発明が解決しようとする課題】
【０００４】
このような構成の装置においては、装置が稼動を重ねるにつれて、貯留部内に貯留されているトナーの特性が次第に変化してくる。より具体的には、所期の帯電量が得られないトナーの量が多くなってくる。このように帯電の不十分なトナーが増加すると、画像濃度が低下したり、画像へのカブリ量が増加して、画像品質が低下するという問題が生じる。
【０００５】
この発明は上記課題に鑑みなされたものであり、トナーを貯留する貯留部内に、トナーをトナー担持体表面に向けて供給するトナー供給部材を有する現像装置および画像形成装置において、トナーの劣化に起因する画像品質の低下を抑えることのできる技術を提供することを目的とする。
【課題を解決するための手段】
【０００６】
この発明にかかる現像装置は、上記目的を達成するため、トナーを貯留する貯留部と、前記貯留部内にその表面の一部が露出しており、帯電トナーを表面に担持するトナー担持体と、前記貯留部内に設けられて、前記貯留部内のトナーを所定方向に流動させることによりトナーを前記トナー担持体表面に向けて供給するトナー供給部材と、前記トナー供給部材によるトナー流動方向において前記トナー担持体よりも上流側かつ前記トナー供給部材の近傍位置に設けられ、流動トナーの流れを二手に分離させる分離部材と、前記分離部部材により分離された流動トナーの一方を受け入れ、該トナーの帯電量を増加させて前記貯留部に送り込む帯電部とを備え、前記分離部材は、トナーの帯電量に応じて前記流動トナーを高帯電トナー流と低帯電トナー流とに分離し、該低帯電トナー流を前記帯電部に案内することを特徴としている。
【０００７】
また、この発明にかかる画像形成装置は、上記目的を達成するため、静電潜像を担持する潜像担持体と、トナーを貯留する貯留部と、前記貯留部内にその表面の一部が露出しており、帯電トナーを表面に担持して前記潜像担持体との対向位置に搬送するトナー担持体と、前記貯留部内に設けられて、前記貯留部内のトナーを所定方向に流動させることによりトナーを前記トナー担持体表面に向けて供給するトナー供給部材と、前記トナー供給部材によるトナー流動方向において前記トナー担持体よりも上流側かつ前記トナー供給部材の近傍位置に設けられ、流動トナーの流れを二手に分離させる分離部材と、前記分離部部材により分離された流動トナーの一方を受け入れ、該トナーの帯電量を増加させて前記貯留部に送り込む帯電部とを備え、前記分離部材は、トナーの帯電量に応じて前記流動トナーを高帯電トナー流と低帯電トナー流とに分離し、該低帯電トナー流を前記帯電部に案内することを特徴としている。
【０００８】
前記したように、装置の稼動に伴って帯電量の不足するトナーの比率が増加するが、このように帯電量の低いトナー（以下、「低帯電トナー」という）は、十分な帯電量を得るに必要な特性を完全に失っているというわけでは必ずしもなく、周囲に存在する、より帯電しやすいトナーとの帯電特性の差異によって相対的に帯電量が低くなってしまっている場合が多い。なお、ここでいう低帯電トナーの概念には、帯電量が少ないトナーのほか、本来の帯電極性とは逆の極性に帯電した逆帯電トナーも包含される。
【０００９】
そこで、これらの発明では、貯留部内で流動するトナーを高帯電トナー流と低帯電トナー流とに分離し、このうち低帯電トナー流については帯電部に取り出し、その帯電量を増加させてから貯留部に戻すようにしている。このため、より帯電しやすく高い帯電量が得られやすいトナーの中にあっては十分な帯電量が得られない低帯電トナーであっても、このようなトナーは帯電部に送られて帯電量が増加された状態で貯留部に戻されることになるため、トナーの帯電不足に起因する画像濃度の低下やカブリの増加が抑えられる。
【００１０】
また、既に十分な帯電量を有しているトナー（以下、「高帯電トナー」という）については、帯電部に送られずにトナー担持体表面に供給される。このため、高帯電トナーに無用のストレスを与えることがなく、使用に伴うトナーの劣化の進行自体を抑えることが可能である。このことによっても、トナー劣化に起因する画像品質の低下を抑える効果が得られる。
【００１１】
より具体的には、例えば、前記分離部材を導電性材料により形成し、前記トナーの帯電極性と同極性の電位を与えるようにしてもよい。このようにすれば、高帯電トナーには分離部材から斥ける静電気力が強く作用する一方、低帯電トナーに対してはこの力が弱く、特に逆帯電トナーにおいては分離部材に引き寄せる方向の力が作用する。このように、分離部材にトナーの帯電極性と同極性の電位を与えることにより、静電気力の差を利用して高帯電トナーと低帯電トナーとを分離することができる。
【００１２】
また、例えば、前記分離部材を、帯電系列において前記トナーよりも前記トナーの帯電極性側に位置する材料により形成するようにしてもよい。こうすれば、特に分離部材に電位を与えなくても、トナーとの接触により次第に分離部材がトナーの帯電極性と同極性に帯電し、電位を与えた場合と同様にトナーを分離する効果を奏する。
【００１３】
また、例えば、前記トナー供給部材は、所定の回転軸中心に回転する略円筒形状のトナー供給ローラであり、該トナー供給ローラ周りにその回転方向に沿ったトナーの流れを形成し、前記分離部材は、前記トナー供給ローラ周りのトナーの流れを前記トナー供給ローラ表面に近い流れとこれより遠い流れとに分離し、前記トナー供給ローラ表面から遠い方の流れを前記低帯電トナー流として前記帯電部に案内するようにしてもよい。
【００１４】
装置の使用につれて低帯電トナーが増加する主な理由の一つとして、トナー母粒子に添加された外添剤の摩擦等による脱落が挙げられる。外添剤の脱落したトナーは帯電特性が低下すると同時に、その流動性が低下している。つまり、トナーの流動性と帯電特性との間には相関があり、トナーの流動性の高低によって概ね高帯電トナーと低帯電トナーとを分離することが可能である。
【００１５】
トナー供給ローラの回転により貯留部内にトナーの流れを形成する場合、流動性の高いトナーはトナー供給ローラ表面近くでその回転に乗って流動するが、流動性の低いトナーはより遠くを流れることとなる。したがって、トナー供給ローラ表面から遠くを流れるトナーを低帯電トナーとして扱うことができる。
【００１６】
これらの構成において、前記貯留部は、トナーを貯留する貯留室を形成する貯留室形成部材を備え、該貯留室の内壁面の一部と前記分離部材とに囲まれた空間が、前記低帯電トナーを前記帯電部へ案内するためのトナー流路を構成するようにしてもよい。このようにすれば、簡単な構成で低帯電トナーを帯電部に送り込むことができる。
【００１７】
また、前記帯電部は、トナーを攪拌する攪拌部材を備えるようにしてもよい。帯電部に送り込まれた低帯電トナーを攪拌することにより、トナー同士、あるいはトナーと攪拌部材との摩擦によってトナーの帯電量を増加させることができる。
【００１８】
この場合において、前記帯電部は、トナーを一時的に貯留する帯電室を有するとともに、前記攪拌部材は該帯電室内に設けられており、しかも、前記攪拌部材の表面および前記帯電室の内壁面の少なくとも一方が、帯電系列において前記トナーよりも前記トナーの帯電極性と反対側に位置する材料により形成されてもよい。このようにすれば、攪拌部材表面または帯電室の内壁面によりトナーが摺擦されることでトナーの帯電量を効率的に増加させることができる。
【００１９】
また、前記貯留部は、外部からの補給トナーを受け入れるトナー補給口を有しており、前記補給トナーを、前記分離部材により分離されたトナー流のうち前記高帯電トナー流に合流させるように構成されてもよい。外部から補給されるトナーでは帯電量の低下がないので、事前に帯電量を増加させておく必要がない。したがって、補給トナーについては高帯電トナーと合流させることができる。また、補給トナーを帯電部に送り込むことによるトナーへのストレスを抑制することができる。
【００２０】
さらに、この発明は、前記トナーが非磁性一成分トナーである場合に特に顕著な効果を奏する。トナーとキャリアとの役割が分離されている二成分型のトナーを用いる装置では、トナーとキャリアとを貯留部内において攪拌することによりトナーを帯電させるため、特性の低下したトナーであっても十分な帯電量を得ることができる。また、十分な帯電量を得たトナーを選択的にトナー担持体に担持させることができる。一方、非磁性一成分トナーではこのような効果を期待できないため、このようなトナーを使用する装置に本発明を適用すれば、トナー劣化に起因する画像品質の低下を効果的に抑制することができる。
【発明を実施するための最良の形態】
【００２１】
図１はこの発明にかかる画像形成装置の第１実施形態を示す図である。この実施形態の画像形成装置は図１に示すプリンタ１０である。このプリンタ１０はいわゆるレーザビームプリンタであり、プロセスユニット１５Ｙ、１５Ｍ、１５Ｃ、１５Ｋ、中間転写ベルト７０、一次転写ユニット６０Ｙ、６０Ｍ、６０Ｃ、６０Ｋ、二次転写ユニット８０、定着ユニット９０およびこれらのユニット等を制御しプリンタとしての動作を司る制御ユニット１００を有している。
【００２２】
まず、プロセスユニット１５Ｙ、１５Ｍ、１５Ｃ、１５Ｋの構成について説明する。プロセスユニット１５Ｙ、１５Ｍ、１５Ｃ、１５Ｋは、感光体２０Ｙ、２０Ｍ、２０Ｃ、２０Ｋ上に潜像を形成した後に、トナーにて該潜像をトナー像として可視化する機能を有している。これらプロセスユニット１５Ｙ、１５Ｍ、１５Ｃ、１５Ｋは、イエロー（Ｙ）、マゼンタ（Ｍ）、シアン（Ｃ）、ブラック（Ｋ）の各色に対応して設けられている。また、プロセスユニット１５Ｙ、１５Ｍ、１５Ｃ、１５Ｋは、図１に示すように、水平方向に列状に配置されている。
【００２３】
４つのプロセスユニットの構成は同様であるので、ここでは代表的にプロセスユニット１５Ｙの構成について説明する。プロセスユニット１５Ｙは、感光体２０Ｙ上に潜像を形成した後に、イエロートナーにて該潜像をイエロートナー像として可視化するためのものである。このプロセスユニット１５Ｙは、感光体２０Ｙ、帯電ユニット３０Ｙ、露光ユニット４０Ｙ、現像ユニット５０Ｙ、トナーカートリッジ５２Ｙ、感光体クリーニングユニット５５Ｙを有している。ここで、感光体２０Ｙ、帯電ユニット３０Ｙ、現像ユニット５０Ｙおよび感光体クリーニングユニット５５Ｙが１つのカートリッジを構成する。以下においてはこのカートリッジを「プロセスカートリッジ」と呼び符号１６Ｙを付す。
【００２４】
感光体２０Ｙは感光層を有し、該感光層の表面に潜像を担持する。この感光体２０Ｙは、プリンタ本体１０ａに回転可能に支持されており、図１中の矢印で示すように時計回りに回転する。帯電ユニット３０Ｙは、感光体２０Ｙを帯電する。露光ユニット４０Ｙは、レーザを照射することによって帯電された感光体２０Ｙ上に潜像を形成する。現像ユニット５０Ｙは、イエロー（Ｙ）トナーを収容しており、感光体２０Ｙ上に形成された潜像を該トナーにてイエロートナー像として可視化（現像）する。また、感光体クリーニングユニット５５Ｙは、中間転写ベルト７０上に転写されずに感光体２０Ｙに残存するトナーを回収することにより、該感光体２０Ｙをクリーニングする。
【００２５】
トナーカートリッジ５２Ｙは、現像ユニット５０Ｙに補給するイエロートナーを収容し、また、感光体クリーニングユニット５５Ｙによって回収された廃トナーを収容する。このトナーカートリッジ５２Ｙは、プリンタ本体１０ａ、より具体的にはプロセスカートリッジ１６Ｙに対して着脱可能である。
【００２６】
他のプロセスユニット１５Ｍ、１５Ｃ、１５Ｋも同様の構成を有している。すなわち、マゼンタ色に対応するプロセスユニット１５Ｍは、感光体２０Ｍ、帯電ユニット３０Ｍ、露光ユニット４０Ｍ、現像ユニット５０Ｍ、トナーカートリッジ５２Ｍ、感光体クリーニングユニット５５Ｍを有している。また、シアン色に対応するプロセスユニット１５Ｃは、感光体２０Ｃ、帯電ユニット３０Ｃ、露光ユニット４０Ｃ、現像ユニット５０Ｃ、トナーカートリッジ５２Ｃ、感光体クリーニングユニット５５Ｃを有している。さらに、ブラック色に対応するプロセスユニット１５Ｋは、感光体２０Ｋ、帯電ユニット３０Ｋ、露光ユニット４０Ｋ、現像ユニット５０Ｋ、トナーカートリッジ５２Ｋ、感光体クリーニングユニット５５Ｋを有している。
【００２７】
次に、プロセスユニット１５Ｙ、１５Ｍ、１５Ｃ、１５Ｋ以外のユニットの構成について説明する。中間転写ベルト７０は、４つの感光体２０Ｙ、２０Ｍ、２０Ｃ、２０Ｋに担持された各色のトナー像を紙などの記録材に転写する際の中間媒体であり、トナー像を担持した状態で回転して該トナー像を移動させる。一次転写ユニット６０Ｙ、６０Ｍ、６０Ｃ、６０Ｋは、感光体２０Ｙ、２０Ｍ、２０Ｃ、２０Ｋに形成された各色のトナー像を中間転写ベルト７０に転写（一次転写）するためのユニットである。二次転写ユニット８０は、中間転写ベルト７０上に形成された単色トナー像やフルカラートナー像を記録材に転写（二次転写）するためのユニットである。定着ユニット９０は、記録材上に転写された単色トナー像やフルカラートナー像を加熱加圧して記録材に融着させて永久像とするためのユニットである。
【００２８】
図２は制御ユニットの構成を示すブロック図である。制御ユニット１００は、図２に示すようにメインコントローラ１０１およびユニットコントローラ１０２を有しており、メインコントローラ１０１には画像信号および制御信号が入力され、この画像信号および制御信号に基づく指令に応じてユニットコントローラ１０２が前記各ユニット等を制御して画像を形成する。メインコントローラ１０１は、インタフェース１１２を介して外部のコンピュータと接続され、このコンピュータから入力された画像信号を記憶するための画像メモリ１１３を備えている。ユニットコントローラ１０２は、装置本体の各ユニットと電気的に接続され、それらが備えるセンサ（図示省略）からの信号を受信することによって各ユニットの状態を検出しつつ、メインコントローラ１０１から入力される信号に基づいて、各ユニットを制御する。
【００２９】
上述した構成のプリンタ１０は、４つのプロセスユニットのうち１つを用いたモノクロ画像または４つのプロセスユニットの全てを用いたカラー画像を形成可能であるが、以下においてはプリンタ１０のカラー画像形成動作について説明する。
【００３０】
まず、コンピュータからの画像信号および制御信号がインタフェース１１２を介してプリンタ１０のメインコントローラ１０１に入力されると、このメインコントローラ１０１からの指令に基づくユニットコントローラ１０２の制御により感光体２０Ｙ、２０Ｍ、２０Ｃ、２０Ｋ、中間転写ベルト７０等が回転する。
【００３１】
感光体２０Ｙ、２０Ｍ、２０Ｃ、２０Ｋは回転しながら、帯電位置において帯電ユニット３０Ｙ、３０Ｍ、３０Ｃ、３０Ｋによりそれぞれ帯電される。各感光体の帯電された領域は、各感光体の回転に伴って露光位置に至り、露光ユニット４０Ｙ、４０Ｍ、４０Ｃ、４０Ｋによって、イエロー、マゼンタ、シアン、ブラックの画像情報に応じた潜像が該領域に形成される。各感光体上に形成された潜像は、感光体の回転に伴って現像位置に至り、現像ユニット５０Ｙ、５０Ｍ、５０Ｃ、５０Ｋによってトナー像として可視化される。なお、現像ユニット５０Ｙ、５０Ｍ、５０Ｃ、５０Ｋによる現像に伴い現像器内のトナーが減少すると、適宜のタイミングでトナーカートリッジ５２Ｙ、５２Ｍ、５２Ｃ、５２Ｋから当該現像ユニットへトナーが補給される。
【００３２】
感光体２０Ｙ、２０Ｍ、２０Ｃ、２０Ｋ上に形成された単色トナー像は、各感光体の回転に伴って一次転写位置に至り、一次転写ユニット６０Ｙ、６０Ｍ、６０Ｃ、６０Ｋによって中間転写ベルト７０に一次転写される。この結果、中間転写ベルト７０上にはフルカラートナー像が形成される。中間転写ベルト７０上に形成されたフルカラートナー像は、中間転写ベルト７０の回転に伴って二次転写位置に至り、給紙トレイ９２から搬送される記録材に二次転写ユニット８０によって二次転写される。
【００３３】
フルカラートナー像が二次転写された記録材が定着ユニット９０へ搬送されると、該フルカラートナー像は加熱加圧されて記録材に定着される。これにより、紙などの記録材上にカラー画像が形成されることとなる。
【００３４】
一方で、一次転写位置にて中間転写ベルト７０に一次転写されずに感光体２０Ｙ、２０Ｍ、２０Ｃ、２０Ｋに残存するトナーは、感光体クリーニングユニット５５Ｙ、５５Ｍ、５５Ｃ、５５Ｋによって回収された後に、廃トナーとしてトナーカートリッジ５２Ｙ、５２Ｍ、５２Ｃ、５２Ｋに送られ、該トナーカートリッジに収容される。
【００３５】
図３はプロセスカートリッジおよびトナーカートリッジの構成を示す図である。トナーカートリッジ５２Ｙは、現像ユニット５０Ｙに補給するための新しいトナーを内部に収容する補給トナータンク５２１Ｙと、感光体２０Ｙから除去された廃トナーを内部に貯えるための廃トナータンク５２２Ｙとを備えている。また、トナーカートリッジ５２Ｙには、プロセスカートリッジ１６Ｙと連結するための連結部５２３Ｙが設けられている。該連結部５２３Ｙにプロセスカートリッジ１６Ｙが連結された状態では、補給トナータンク５２１Ｙが以下に説明する現像ユニット５０Ｙと連通されて、補給トナータンク５２１Ｙに収容された補給トナーを現像ユニット５０Ｙに補給可能となる。また、廃トナータンク５２２Ｙが感光体クリーニングユニット５５Ｙと連通されて、感光体クリーニングユニット５５Ｙにより感光体２０Ｙから除去されたトナーを廃トナータンク５２２Ｙに移送可能となる。
【００３６】
図４は現像ユニットの構造を示す断面図である。現像ユニット５０Ｙは、図４の矢印方向Ｄ1に回転する現像ローラ５０１と、現像ローラ５０１Ｙと当接しながら図４の矢印方向Ｄ2に回転する供給ローラ５０２とが、それぞれ図４の紙面に垂直な方向（Ｙ方向）に沿った回転軸周りに回転自在にハウジング５１９に軸着された構造を有している。また、図示を省略しているが、ハウジング５１９内には非磁性一成分の負帯電トナーが貯留されている。
【００３７】
現像ローラ５０１は、鉄、アルミニウムなどの金属または合金によって円筒形状に形成されており、表面にトナーを担持しながら回転して該トナーを感光体２０Ｙとの対向位置に搬送し、感光体２０Ｙ上の静電潜像を顕像化する。また、供給ローラ５０２はその表面が発泡ウレタンやシリコンゴム等の弾性を有する材料により形成されて、現像ローラ５０１表面に圧接されて供給ニップを形成している。この供給ローラ５０２は、ハウジング５１９内で回転することによりハウジング５１９内に貯留されたトナーを流動させ、現像ローラ５０１表面に向けてトナーを送り込む。
【００３８】
ハウジング５１９内は、部分的にトナー通過孔５１６を設けた隔壁５１８によって２つの小室に分割されている。すなわち、ハウジング５１９内は貯留室ＳＣと帯電室ＣＣとに分割されている。供給ローラ５０２は貯留室ＳＣ内に設けられており、また現像ローラ５０１の表面の一部が貯留室ＳＣ内に露出している。このため、貯留室ＳＣ内に貯留されているトナーは供給ローラ５０２の回転によって該貯留室ＳＣ内で循環的に流動し、貯留室ＳＣ内に露出した現像ローラ５０１の表面に向かうトナーの流れが生じる。
【００３９】
貯留室ＳＣ内のトナーは、供給ローラ５０２の回転に起因するトナー流動により生じるトナー粒子同士の摩擦や、供給ニップにおいて現像ローラ５０１表面に擦り付けられることによって摩擦帯電し、現像ローラ５０１の表面に静電的に付着する。こうして現像ローラ５０１表面に付着したトナーは、現像ローラ５０１の回転方向Ｄ1において供給ニップよりも下流側で現像ローラ５０１表面に圧接された規制ブレード５０４により厚さが規制される。その結果、規制ブレード５０４の下流側では所定厚さに規制されたトナー層が現像ローラ５０１表面に担持されることとなる。こうして形成されたトナー層が感光体２０Ｙとの対向位置（現像位置）へ搬送され潜像の顕像化に供される。
【００４０】
さらに、現像ローラ５０１の回転方向Ｄ1において現像位置よりも下流側には、一方端がハウジング５１９に固定され他方端が現像ローラ５０１の表面に弾性的に当接するシール部５０５が設けられている。シール部５０５は現像ローラ５０１の回転方向Ｄ1に沿ったいわゆるトレイル方向に現像ローラ５０１表面に当接されており、現像ローラ５０１の表面に残留するトナーをハウジング５１９内に案内するとともにハウジング５１９内のトナーが外部へ漏れ出すのを防止する。
【００４１】
また、貯留室ＳＣ内には、図４紙面垂直方向（Ｙ方向）に沿って延設された板状の分離部材５１０が設けられている。分離部材５１０は、その一方端が供給ローラ５０２表面から所定距離を隔てて配置される一方、他方端は供給ローラ５０２の半径方向外側に向かって延びており、供給ローラ５０２の回転によってその周方向に沿って生じるトナー流にほぼ直交するように配置されている。このため、供給ローラ５０２の回転によって貯留室ＳＣ内に生じるトナー流は分離部材５１０によって部分的に遮られ、トナー流は供給ローラ５０２の表面に沿って現像ローラ５０１の方向へ向かう流れと、分離部材５１０に沿って供給ローラ５０２から離れてゆく流れとに分断される。すなわち、分離部材５１０は、供給ローラ５０２の表面近くで流動するトナーを現像ローラ５０１に向けて送り込む一方、供給ローラ５０２表面から遠い経路で流動するトナーについてはその動きを遮るように作用する。
【００４２】
分離部材５１０は銅、アルミニウムなどの金属またはその他の導電性材料により形成され、図４に示すように、分離バイアス発生用直流電源５９からの直流電位を印加されている。この直流電位は、トナーの帯電極性と同極性の負電位である。このため、貯留室ＳＣ内で供給ローラ５０２の回転に伴い流動するトナーのうち、負の高い帯電量を有しているトナー（高帯電トナー）に対しては、分離部材５１０の負電位はトナーを分離部材５１０から遠ざける静電的な斥力を作用させる。一方、帯電量の低いトナーに対してはこの斥力が弱い。さらに、トナーの中には本来負に帯電すべきトナーが劣化等により反対極性、つまり正に帯電するものが含まれており、このようなトナーに対しては分離部材５１０の負電位は静電的な引力を作用させる。
【００４３】
したがって、供給ローラ５０２の回転に伴って生じるトナー流に含まれるトナーのうち、負の高い帯電量を有している高帯電トナーは分離部材５１０による斥力を受けて該分離部材５１０の近傍から供給ローラ５０２の表面に向けて押しやられ、供給ローラ５０２の表面近くを流動することになる。一方、帯電量の低いトナーおよび逆極性に帯電したトナー（ここではこれらを総称して「低帯電トナー」という）に対しては、斥力が小さいかまたは引力が作用するため、供給ローラ表面５０２に向かう高帯電トナーと入れ替わって、供給ローラ５０２表面から遠く分離部材５０２に近い経路を流動する。
【００４４】
さらに、帯電特性の良好な、つまり高い帯電量が得られるトナーは外添剤の効果により流動性が高いのに対し、同じように帯電させても帯電量の低い劣化トナーは、外添剤の脱落により流動性が低下しているものが多い。このような流動性の差異に起因して、帯電特性の良好なトナーは供給ローラ５０２の周りで活発に流動するのに対し、帯電特性の劣るトナーは動きが鈍いため外側へ追いやられ、結果として供給ローラ５０２表面から離れたところで滞留する傾向がある。
【００４５】
このような分離部材５１０に与えた負電位により作用する静電気力の差および流動性の差に起因して、高帯電トナーと低帯電トナーとでは流動の態様が相違する。すなわち、図４に実線矢印で示すように、高帯電トナーは供給ローラ５０２の表面近くを流れる、幻想ローラ５０１に向かうのに対し、図４に破線矢印で示すように、低帯電トナーは分離部材５１０の近傍やハウジング５１９の内壁や隔壁５１８に沿って流れ、最終的には、分離部材５１０と隔壁５１８とにより挟まれた流路を通って帯電室ＣＣに流れ込む。
【００４６】
帯電室ＣＣ内には、図４の矢印方向Ｄ4に回転する予備帯電ローラ５０３が設けられている。このため、帯電室ＣＣに流れ込んだトナーは、予備帯電ローラ５０３と、予備帯電ローラ５０３の周囲を囲むように構成された帯電室の内壁５１７とにより挟まれたトナー流路内を循環しながら摩擦帯電されることになる。帯電室ＣＣに送り込まれるトナーの多くは低帯電トナーであるが、このような低帯電トナーであっても、帯電室ＣＣにおいて十分に摩擦帯電させることにより帯電量が増大し、現像に良好に使用可能な帯電量を有するに至らせることができる。
【００４７】
帯電室ＣＣ内で循環するトナーの一部はトナー通過孔５１６を通ってあるいは隔壁５１８を超えて貯留室ＳＣへ流れ込む。このとき、帯電室ＣＣから流れ出したトナーは供給ローラ５０２の回転方向Ｄ2において分離部材５１０よりも上流側で貯留室ＳＣ内のトナー流と合流するように、隔壁５１８およびトナー通過孔５１６の位置が設定されている。そのため、トナーの進行方向に再び分離部材５１０が出現することとなり、既に十分な帯電量を得たトナーは分離部材５１０による斥力を受けて供給ローラ５０２表面側へ移動し、供給ローラ５０２の回転に乗って現像ローラ５０１に向けて流れる。一方、帯電量の十分でないトナーは再び帯電室ＣＣに送り込まれ、十分な帯電量を得るまで帯電室ＣＣ内を循環することとなる。
【００４８】
なお、帯電室ＣＣにおけるトナーの帯電量増加を効率よく行うためには、予備帯電ローラ５０３の表面および帯電室ＣＣの内壁面５１７のうち少なくとも一方を、トナーの負帯電を促進するような材料により形成することが好ましい。具体的には、帯電系列においてトナーよりもその帯電極性と反対極性側に位置する材料を用いることが好ましく、例えば負帯電トナーに対しては、トナーをより負電位に帯電させることのできる、つまり帯電系列においてトナーよりも正電位側に当たる金属（鉄・アルミニウム・ニッケル等）やナイロン等を用いることができる。また正帯電トナーに対しては、該トナーをより正電位に帯電させることのできるフッ素樹脂や塩化ビニル樹脂等を用いることができる。
【００４９】
このように、この実施形態では、現像ユニット５０Ｙ内におけるトナーが高帯電トナーと低帯電トナーとで異なる経路を流動するようにし、高帯電トナーについては貯留部ＳＣに貯留して現像ローラ５０１表面へ送り込むのに対して、低帯電トナーについては帯電室ＣＣで予め帯電量を増大させてから貯留室ＳＣへ送り込む。このため、帯電量の不十分なトナーが大量に現像ローラ５０２に担持されることがなく、画像へのカブリを抑制することが可能である。
【００５０】
ところで、この現像ユニット５０Ｙに対しては、補給トナータンク５２１Ｙに貯留されている補給トナーを必要に応じて補給することが可能である。すなわち、図４に示すように、ハウジング５１９の上部にはトナー補給口５１３が設けられており、該トナー補給口５１３と補給トナータンク５２１Ｙとは、スパイラル状のフィード部材５１２を内部に有するトナー給送部５１１によって連通されている。ユニットコントローラ１０２からの制御指令に応じてフィード部材５１２が回転すると、補給トナータンク５２１Ｙ内の補給トナーがプロセスカートリッジ１６Ｙとの連結部５２３Ｙからトナー給送部５１１を経由してトナー補給口５１３からハウジング５１９内に供給される。
【００５１】
トナー補給口５１３の開口は、ハウジング５１９の上部において中央より右側、より具体的には、分離部材５１０の直上よりも右側に設けられている。このため、トナー補給口５１３から供給される補給トナーは、図４の一点鎖線矢印に示すように、直接貯留室ＳＣに投入される。このようにする理由は以下の通りである。
【００５２】
上記したように、この実施形態では、貯留室ＳＣには高帯電トナーを選択的に貯留するようにしている。すなわち、貯留室ＳＣ内に存在するトナーは高帯電トナーが主体である。一方、トナー補給口５１３から供給される補給トナーは、新しいトナーであるので当然に帯電特性は良好である。このようなトナーはまだ帯電プロセスを経ていないため、もともと貯留室ＳＣに存在する既に十分な帯電量を得ている高帯電トナーと比較すれば帯電量は少ないが、外添剤の脱落などの劣化がないため十分な帯電量を得るまでの所要時間が短く、貯留室ＳＣ内における流動によるトナー同士の摩擦や供給ニップにおける摺擦、規制ブレード５０４による摺擦によって十分な帯電量を有するに至ることが期待される。
【００５３】
このような帯電特性の高いトナーを帯電室ＣＣに送り込むことは、トナーに過剰なストレスを与え、トナー母粒子の崩壊や外添剤の脱落などを招くことになり、却ってトナーの劣化を早めてしまうことになる。そこで、この実施形態では、補給トナーを貯留室ＳＣに送り込むことによって、過剰なストレスによるトナーの劣化を防止して、トナーの良好な帯電特性を長期にわたって維持することができるようにしている。
【００５４】
その一方で、帯電特性の低下してしまったトナーに関しては、このようなトナーを帯電室ＣＣに集めて帯電量を増加させてから貯留室ＳＣに戻すようにしている。これにより、帯電特性の低下してしまったトナーも有効に利用することができる。特に、本実施形態のように非磁性一成分トナーを用いる装置においては、二成分トナーを用いる場合のように、貯留室内で予めトナーとキャリアとを攪拌して帯電させるというプロセスを行わないため、トナーの帯電特性の差に起因する帯電量のばらつきが顕著である。このような場合に上記のような選択的な予備帯電プロセスを設けることにより、帯電量のばらつきを小さくすることができる。
【００５５】
以上のように、この実施形態では、現像ユニット５２Ｙの貯留室ＳＣ内にトナーの帯電極性と同じ負電位を与えた分離部材５１０を設けることにより、高帯電トナーと低帯電トナーとを分離するようにしている。そして、高帯電トナーについてはそのまま現像ローラ５０１に向けて供給する一方、帯電量の不足する低帯電トナーについてはいったん帯電室ＣＣに送り予備的に帯電させてから貯留室ＳＣへ送り込む。こうすることにより、帯電特性の良好なトナーについては過剰なストレスを与えることなく現像ローラ５０１表面に担持させることができる一方、低帯電トナーについても、予備的な帯電によって帯電量を増大させた状態で現像ローラ５０１に担持させることができる。また、現像ユニット５０Ｙの外部から供給される帯電特性の良好な補給トナーについては、帯電室ＣＣに送らず貯留室ＳＣに直接供給することにより、トナーの劣化を抑制することが可能である。
【００５６】
このように、この実施形態によれば、特性の良好なトナーについてはその劣化自体を抑えるとともに、帯電量の高いトナーを選択的に現像ローラ５０１に担持させることによって、画像濃度の低下やカブリの発生を抑えて画像品質の劣化を防止することができる。また、帯電特性の低下してしまったトナーについても、予備的に帯電量を増加させた上で現像に供するようにしているので、現像ユニット内のトナーを有効に利用するとともに、長期にわたって良好な画像品質を維持することができる。
【００５７】
また、現像ユニット外から補給トナーが供給される場合には、該補給トナーを貯留室ＳＣに直接送り込むことによって、特性の良好なトナーに無用なストレスが加わることが防止されて、画像品質の維持を図ることができる。
【００５８】
次に、この発明にかかる画像形成装置の第２実施形態について説明する。この実施形態では、上記した第１実施形態の装置と比べると、現像ユニットの構成および動作が一部異なっているが、その他の点は上記第１実施形態と同様である。そこで、ここでは第１実施形態の構成と同一の構成については同一符号を付して説明を省略し、第２実施形態の特徴部分について主に説明する。
【００５９】
図５はこの発明にかかる画像形成装置の第２実施形態の現像ユニットを示す図である。この実施形態の現像ユニット５２Ｙａは、供給ローラ５０２ａの回転方向が図６の矢印方向Ｄ2aに示すように第１実施形態のものとは反対であり、これに伴って分離部材５１０ａの形状が第１実施形態のものとは異なっている。第１実施形態における供給ローラ５０２（図４）は、供給ニップにおいてその表面が現像ローラ５０１表面と同じ方向に移動する、いわゆるウィズ回転方向に回転するように構成されていた。これに対し、この第２実施形態における供給ローラ５０２ａは、その表面が現像ローラ５０１の表面と反対方向に移動する、いわゆるカウンタ回転方向に回転する。
【００６０】
このようにすれば、供給ニップにおける現像ローラ５０１と供給ローラ５０２ａとの摩擦が大きくなり、トナーを帯電させる能力が高くなる。しかしながら、相対的な帯電特性の劣る低帯電トナーについては、依然として十分な帯電量を与えることができない場合がある。このような場合においても本発明の思想を好適に適用することが可能である。すなわち、この実施形態における供給ローラ５０２ａの回転による現像ローラ５０１へのトナー供給は、供給ローラ５０２ａの下面に沿って生じるトナー流によって行われる。供給ローラ５０２ａの上面では、トナーを現像ローラ５０１表面から遠ざけるような流れが生じる。
【００６１】
この流れにおいても、分離部材５１０ａを設けることにより、図５に示すように、高帯電トナーは供給ローラ５０２ａの近傍位置を、また低帯電トナーはこれより離れた位置を流れるようになる。この場合、分離部材５１０ａによって供給ローラ５０１表面から引き離されたトナーが効率よく帯電室ＣＣに送り込まれるようにするため、分離部材５１０ａの上端部が左方に延長されて、隔壁５１８よりも左方にまで至るように構成するのが好ましい。こうすることにより、分離部材５０２ａによって流れを遮られた低帯電トナーは、図５に破線矢印で示すように、分離部材５０２ａの上面をせり上がるようにして帯電室ＣＣに流れ込むことになる。また、帯電室ＣＣにおいて予備的に帯電されたトナーは、図５に実線矢印で示す高帯電トナーの流れに合流することになる。
【００６２】
この場合においても、外部から投入される補給トナーは貯留室ＳＣに流れ込むようにすることで、特性の劣化を防止することができる。
【００６３】
図６はこの発明にかかる画像形成装置の第３実施形態の現像ユニットを示す図である。この実施形態の現像ユニット５０Ｙｂでは、第１実施形態の現像ユニット５０Ｙ（図４）から分離バイアス用電源５９が省かれるとともに、分離部材５１０ｂが、帯電系列においてトナーよりも正電位側に位置する材料、例えば金属やナイロン等により形成されて電気的にフローティング状態に保持される。なお、図６では、第１実施形態と同一の構成には同一の符号を付している。
【００６４】
このような構成によれば、供給ローラ５０２の回転に起因して貯留室ＳＣ内に生じるトナー流動の結果、分離部材５１０ｂがトナーと摺擦されることによって次第に正電位に帯電することとなる。このことは、相対的にトナーを負に帯電させる予備帯電の効果と、第１実施形態と同様に、正に帯電した分離部材５１０ｂが高帯電トナーを斥けるように作用しトナー流を分離する効果とが生じることを意味している。すなわち、分離部材に電位を与えるための電源を設けなくても、第１実施形態と同様の効果を得ることができる。
【００６５】
なお、この第３実施形態では、現像ユニット５０Ｙｂが新品の状態では分離部材５１０ｂも帯電していないことになるが、このときユニット内のトナーも新しくその帯電特性は良好かつ均一であり、この時点において低帯電トナーの分離および予備的な帯電は必要ないため問題はない。そして、トナーの劣化が進み低帯電トナーの比率が増加してくる頃には、分離部材５１０ｂの帯電量も大きくなり、第１実施形態と同様にトナーをその帯電量に応じて分離する機能を果たすことができる。
【００６６】
以上説明したように、上記各実施形態においては、現像ユニット５０Ｙ、５０Ｍ、５０Ｃ、５０Ｋがそれぞれ本発明の「現像装置」として機能している。また、上記各実施形態では、現像ローラ５０１が本発明の「トナー担持体」として機能する一方、供給ローラ５０２、５０２ａがいずれも「トナー供給部材」および「トナー供給ローラ」として機能している。また、貯留室ＳＣが本発明の「貯留部」、「貯留室」として機能している。また、予備帯電ローラ５０３が本発明の「攪拌部材」として機能しており、該予備帯電ローラ５０３および帯電室ＣＣが本発明の「帯電部」を構成している。
【００６７】
また、上記各実施形態では、ハウジング５１９が本発明の「貯留室形成部材」として機能する一方、トナー給送部５１１およびトナー補給口５１３が本発明の「補給トナー受付部」として機能している。さらに、これらの実施形態では、感光体２０Ｙ、２０Ｍ、２０Ｃ、２０Ｋがそれぞれ本発明の「潜像担持体」として機能している。
【００６８】
なお、本発明は上記した実施形態に限定されるものではなく、その趣旨を逸脱しない限りにおいて上述したもの以外に種々の変更を行うことが可能である。例えば、上記各実施形態においては、帯電特性の良好なトナーとそうでないトナーとの分離を、その流動性の違いおよび帯電量の違いを利用して物理的および電気的に行うようにしている。すなわち、物理的には、供給ローラ５０２の近傍を流動するトナーと、これより遠くやハウジング５１９の内壁に沿って流動するトナーとを分離する。一方、電気的には、トナーの帯電極性と同極性の電位を分離部材５１０に与えることにより、高帯電トナーを斥けるようにすることで低帯電トナーと分離している。しかしながら、これらの物理的・電気的な分離機能を常に両方を備える必要はなく、いずれか一方でもかまわない。
【００６９】
また、上記各実施形態では、現像ユニット５２Ｙ内部において貯留室ＳＣと帯電室ＣＣとを分離する隔壁５１８にトナー通過孔５１６を設けているが、このトナー通過孔は必須のものではない。またハウジング内部の形状も図示したものに限定されず、低帯電トナーを帯電室に送り込むとともに帯電室において帯電されたトナーを貯留室に戻すというトナーの円滑な流れを実現できるものであれば他の形状であってもよい。
【００７０】
また、上記各実施形態における予備帯電ローラ５０３の回転方向は、例えば図４に示す反時計方向Ｄ3であるが、これに限定されるものではなく、予備帯電ローラ５０３が図４の時計方向に回転するようにしてもよい。
【００７１】
また、上記各実施形態の現像ユニットはいずれも外部からトナーを補給可能に構成されているが、外部からのトナー補給を行わない装置においても、本発明を適用した場合には上記と同様の効果を得ることが可能である。
【００７２】
また、上記各実施形態の画像形成装置は、本発明の「現像装置」に対応する現像ユニットをそれぞれ備える４つのプロセスユニットを中間転写ベルト７０の回転方向に沿って列状に並べてなる、いわゆるタンデム現像方式のカラー画像形成装置に本発明を適用したものである。しかしながら、本発明の適用対象はこれに限定されるものではなく、例えばプロセスユニットを１つだけ備えてモノクロ画像を形成するモノクロ画像形成装置に対しても本発明を適用可能である。これらの画像形成装置は、いわゆるロータリー現像方式の装置のように複数のプロセスユニットを回転させて切り替えるという構成を採らないため、回転により現像ユニット内のトナーが攪拌されるという効果が期待できない。このような装置において、本発明を適用した場合の効果が顕著である。
【図面の簡単な説明】
【００７３】
【図１】この発明にかかる画像形成装置の第１実施形態を示す図。
【図２】制御ユニットの構成を示すブロック図。
【図３】プロセスカートリッジおよびトナーカートリッジの構成を示す図。
【図４】現像ユニットの構造を示す断面図。
【図５】この発明にかかる画像形成装置の第２実施形態の現像ユニットを示す図。
【図６】この発明にかかる画像形成装置の第３実施形態の現像ユニットを示す図。
【符号の説明】
【００７４】
２０Ｙ，２０Ｍ，２０Ｃ，２０Ｋ…感光体（潜像担持体）、  ５０Ｙ，５０Ｍ，５０Ｃ，５０Ｋ…現像ユニット（現像装置）、  ５０１…現像ローラ（トナー担持体）、  ５０２，５０２ａ…供給ローラ（トナー供給部材、トナー供給ローラ）、  ５０３…予備帯電ローラ（攪拌部材、帯電部）、  ５１９…ハウジング（貯留室形成部材）、  ５１１…トナー給送部（補給トナー受付部）、  ５１３…トナー補給口（補給トナー受付部）、  ＣＣ…帯電室（帯電部）、  ＳＣ…貯留室（貯留部、貯留室）
【図１】
2009145538.tif 000003
【図２】
2009145538.tif 000004
【図３】
2009145538.tif 000005
【図４】
2009145538.tif 000006
【図５】
2009145538.tif 000007
【図６】
2009145538.tif 000008